(57)【要約】      （修正有）【課題】構造物を地震から守るための基礎脚を提供する。【解決手段】基礎脚２の外周に、緩衝材を介して制動部材Ａを取り付ける。【選択図】図１
0003173491.tif 000002
【実用新案登録請求の範囲】
【請求項１】
構造物を搭載固定する基礎の下方に一端を固着して、他端側を地中に埋設する基礎脚において、前記基礎脚に少なくとも１つ以上、制動部材を取り付けたことを特徴とする基礎脚。
【請求項２】
上記制動部材は緩衝材を介して上記基礎脚の外周に取り付けたことを特徴とする請求項１に記載の基礎脚。
【請求項３】
前記基礎脚の内側から外側へ放射状に突出する突出材を前記基礎脚に内蔵したことを特徴とする請求項１に記載の基礎脚。
【考案の詳細な説明】
【技術分野】
【０００１】
本考案は、建築物を地震から守るための基礎脚に関する。
【背景技術】
【０００２】
多くの構造物の基礎は、布基礎もしくは平面基礎で造られている。また大きい構造物の基礎脚はコンクリートパイルでできている。
【先行技術文献】
【特許文献】
【０００３】
【特許文献１】米抄  ２００８/８５３９
【特許文献２】米抄  ２００７/６９１０３
【考案の概要】
【考案が解決しようとする課題】
【０００４】
従来から多くの構造物は布基礎もしくは平面基礎で造られている。しかし、地震の横波がくると布基礎、平面基礎の側面は、横波の力を全面に受けるので布基礎、平面基礎は大きく横揺れする。その結果、構造物も大きく横揺れする。内部に居る人が被害を受ける可能性があり、また、構造物や内部の家財も被害を受ける可能性がある。
更に、地盤沈下や地盤の傾きなどの被害があった場合、構造物を建て替える必要の可能性がある。地震の揺れを防ぐ積層免震ゴムは、大き過ぎて小型の構造物には効果がない。直下型地震の縦波の場合も、布基礎もしくは平面基礎では構造物が大きく揺れる。
【０００５】
大きい構造物は基礎脚にコンクリートパイルを地中に打ち込んでいるが、基礎に繋がるっているコンクリートパイルは、下に地中に打ち込んであるコンクリートパイルの上にのっているだけで繋がっていない場合が多い。常に揺れている関東以北はコンクリートパイルと側面の土砂の間に隙間ができるので、揺れでひびが入り地震や津波で浮き上がり場合によっては、構造物が倒れる場合がある。また長周期地震の揺れで、高層構造物の上層部は、左右に大きく揺れるので、被害がでている。コンクリートパイルは重いので運搬や地中に埋める工事が大掛かりになり、大きな重機が必要となる。    
【課題を解決するための手段】
【０００６】
かかる目的を達成するために、本考案は、構造物を搭載固定する基礎の下方に
一端を固着して、他端側を地中に埋設する基礎脚において、前記基礎脚に少なく
とも１つ以上、制動部材を取り付け、更に、制動部材は緩衝材を介して基礎脚の外周に取り付け、基礎脚には内側から外側に放射状に突出する制動部材Ａを内蔵した。
【考案の効果】
【０００７】
本考案に係わる建物の基礎脚は、地震の横波を受けても、図２に示す基礎脚の下部に円盤を付けてあり、横方向には動かないので、従来の布基礎に比べると地震の横波を受けにくいので、基礎及び土台の揺れが小さくなり図示省略の構造物の揺れが少なく内部に居る人が被害を受けにくい。また、構造物、内部の建具や家具が被害を受けにくい。また、基礎脚に円盤があるので地盤沈下しにくい。次に地盤沈下や地盤の傾きが起きても構造物の土台をジャッキアップ後、基礎を修正して構造物を下ろし固定すると元に戻る。基礎脚の設置間隔を違えているので構造物との共振が起きない。住宅構造物に免震積層免震ゴムは、大き過ぎて効果がないので、この考案の基礎で地震の横波被害を軽減できる。円盤を上下に可動できる構造にすることで、地震の縦揺れも回避できる。特許文献米抄２００８/８５３９の免震装置は地上に設置するので、強風が吹くと構造物は揺れ浮き上がり、雨が降ると滑り、紫外線が当たるとゴムは劣化する。しかし、本考案の免震装置は地中に存在しているので、強風が吹いても構造物は揺れず、また浮き上がらず、雨が降っても滑り易くならない。紫外線も当たらないので防振ゴムの劣化はないので長期間使用できる。
【０００８】
コンクリートパイルの代わりに亜鉛メッキ鋼管を用いる。穴開き鋼管は簡単に接続でき穴開き鋼管の下部に制動部材を附けるので、常に揺れても基礎脚の穴開き鋼管は、地震や津波で浮き上がりや抜けることがなくなる。基礎を地上に造る。もしくは地面にアースドリルで穴を開けて穴に穴開き鋼管入れる。穴開き鋼管はコンクリートパイルより軽いので工事が楽にでき、使用する重機も小型でよくなる。穴開き鋼管の穴からコンクリートが外側に出て穴開き鋼管は抜けなくなる。また穴開き鋼管の中央部に紙管を設置すると基礎脚の強度がます。この基礎脚の製作は工費が大幅に安くなる。
【図面の簡単な説明】
【０００９】
【図１】本考案に係わる基礎脚の斜視図である。
【図２】本考案に係る基礎の斜視図である。
【図３】本考案に係る基礎と土台の断面図である。
【図４】本考案に係る穴開き鋼管で造られた基礎脚の断面図。
【図５】本考案に係るスクリュー円盤付き基礎脚の断面図。
【考案を実施するための形態】
【００１０】
以下、本考案の実施形態を、添付図面を参照にして詳細に説明する。
【００１１】
具体的には基礎脚のコンクリートパイルの代わりに穴を開けた鉄板を丸めてつくる亜鉛メッキ鋼管を用い、内側から外側へ放射状に突出する突出材を前記基礎脚に内蔵する。基礎脚の先端に上下に稼働するスクリュー円盤を付けて地中を掘って基礎脚を設置することがある。
【００１２】
本事例では、図２，３に図示する如く基礎脚２先端に上下に可動する制動部材Ａとして、円盤１をつけて基礎脚２を地中に埋めたが、制動部材Ａは、必要に応じ、円盤１に替え、円環リングや板材、らせん状のスパイラルフィンなど制動効果が得られる部材を用いることもできる。本考案に係る図１に図示の脚部は、中央に穴を開けた円盤１に基礎脚２を通して可動できるようにする。円盤１の上方に防振ゴム３を配置し、基礎脚２に防振ゴム３を受け止めるストッパー4を付ける。地震の縦波が下方から円盤１を押し上げると防振ゴム３は縮んで地震の力を吸収する。地震の横波がきても円盤１が平らなので地震の波を受け流す。この基礎脚２を基礎５の下部に付ける。
【００１３】
図４、５に図示の鉄板に穴開けて丸めた穴開き鋼管９をアースドリルで開けた穴に挿入し、次に挿入後に穴開き鋼管９の下部に、制動部材Ａを横から出すためにパイプ１２の内側に右ナット反対側に左ナットを設け、右制動ボルト１１と左制動ボルト１０を付けパイプ１２に巻いたワイヤー１３を上方から引き上げると、左右のボルト１０，１１は穴開き鋼管９の表面から出てくる。穴開き鋼管９の内側から回転ハンマーで叩き、穴開き鋼管９の上部から共振する振動を与えて、土砂と穴開き鋼管９との間に隙間を作り、次に穴開き鋼管９の中央に紙管を設置してコンクリートを流し込む。多数の穴から図示省略のコンクリートを穴開き鋼管９に圧力をかけて充填するとコンクリートを出す穴１５からコンクリートが穴開き鋼管９の外側に出て緩衝制動材となる。コンクリートを充填した穴開き鋼管９の上部に基礎５を作る。また、基礎脚２の先端に上下に可動するスクリュー円盤１４で地中を掘り進んで、基礎脚２を設置したのちコンクリートを充填する。
図２において符号６は地面、符号図３において７は免振ゴム、符号８は土台、図５において符号１６は空回り防止ピンを示す。
【産業上の利用可能性】
【００１４】
本考案に係る円盤をつけた脚部の基礎は、構造物を地震の被害から守るので、
構造物の修理、建替が減る。構造物が傾いても水平に戻せる。コンクリートパイルの代わりに穴開き鋼管を地中に挿入すると、地震や津波での浮き上がりや抜けるのを防止できるので構造物が壊れない。長周期地震で高層構造物の上層部が大きく揺れて被害が出ているが揺れが減少するので被害が少なくなくなるので、構造物が傾き，倒壊を防止できる。
【符号の説明】
【００１５】
Ａ    制動部材
１    円盤
２    基礎脚
３    防振ゴム
４    ストッパー
５    基礎
６    地面
７    免震ゴム
８    土台
９    穴開き鋼管
１０  左制動ボルト
１１  右制動ボルト
１２  パイプ
１３  ワイヤー
１４  スクリュー円盤
１５  コンクリートを出す穴
１６  空回り防止ピン      
【図１】
0003173491.tif 000003
【図２】
0003173491.tif 000004
【図３】
0003173491.tif 000005
【図４】
0003173491.tif 000006
【図５】
0003173491.tif 000007